(57)【要約】      （修正有）【課題】電源を内蔵し、携帯、取り付け並びに使用が便利な構造を有した工事用ＬＥＤ灯具を提供する。【解決手段】箱体１１、少なくとも一つのＬＥＤ灯具１２、一つのスタンド１３と、を備える。箱体の内部は、少なくとも収容空間１１１１と第１接続部１１１２１を備えた内蔵電源１１１２を有する。少なくとも一つのＬＥＤ灯具は、収容空間に取り付けられ、かつＬＥＤ灯具を駆動し発光させるための第１接続部と電気接続する第２接続部１２１を有する。スタンドは、収容空間の内部に取り付けられ、一端はテーブル１３１を有し、他端は、複数の支持脚１３２を有する。使用するときは、ＬＥＤ灯具とスタンドを箱体より取り出し、互いに接続した後、ＬＥＤ灯具と内蔵電源を電気接続して使用する。【選択図】図１
0003174903.tif 000002
【実用新案登録請求の範囲】
【請求項１】
箱体、少なくとも一つのＬＥＤ灯具、スタンドと、を備えた工事用ＬＥＤ灯具であって、
前記箱体の内部は、少なくとも一つの収容空間と内蔵電源を有し、前記収容空間は、前記内蔵電源の片側に設けられていて、かつ前記内蔵電源は、第１接続部を有する、
前記ＬＥＤ灯具は、前記収容空間に取り付けられ、前記第１接続部に電気接続する第２接続部を有し、前記ＬＥＤ灯具を駆動し発光させる、
前記スタンドは、前記収容空間の内部に取り付けられ、前記スタンドの一端は、テーブルを有し、他端は、複数の支持脚を有する、
工事用ＬＥＤ灯具。
【請求項２】
前記箱体は、下部ボックスと上蓋を有し、前記下部ボックスの片側は、前記上蓋の片側と互いに枢接することによって、前記上蓋と前記下部ボックスを蓋締めできるように設けることができ、前記箱体はさらに、前記下部ボックスと前記上蓋を締めつけるための留め金を有することを特徴とする、請求項１記載の工事用ＬＥＤ灯具。
【請求項３】
前記内蔵電源は、繰り返し充放電可能な電池であり、かつ前記内蔵電源は、リチウム鉄電池、リチウムポリマー電池、塩酸蓄電池、ニッカド電池、ニッケル金属水素電池、リチウムコバルト酸化物蓄電池またはマンガンリチウム電池のいずれかより選択することを特徴とする、請求項１記載の工事用ＬＥＤ灯具。
【請求項４】
前記ＬＥＤ灯具は、ランプホルダーを有し、前記ランプホルダーの一つの表面には、複数のＬＥＤ発光源を設けていて、かつ前記ＬＥＤ発光源は、前記第２接続部に電気接続され、前記ＬＥＤ発光源を設けた一つの表面は、透明保護蓋を設け、前記ランプホルダーもう一つの表面には、ブラケットを設け、前記ブラケットは、スタンドのテーブルの取り付けに備えることを特徴とする、請求項１記載の工事用ＬＥＤ灯具。
【請求項５】
前記ブラケットはさらに伸縮部を有し、前記伸縮部は、前記テーブルと支持脚との間に連結していて、スタンドの高さ調節に備えることを特徴とする、請求項１記載の工事用ＬＥＤ灯具。
【考案の詳細な説明】
【技術分野】
【０００１】
本考案は、照明設備の分野に関し、特に電源を内蔵していて、かつ携帯、取り付け並びに使用が便利な工事用ＬＥＤ灯具の構造に関する。
【背景技術】
【０００２】
一般の探照灯は、長距離または大きい面積の照明に使用されており、通常は、建築工事現場の照明に使用されている。そのため、工事灯ともいう。従来の工事灯は、ハイパワー、ハイルーメンの照明効果を図るため、ハロゲン灯またはキセノン灯を光源にすることが多い。しかし、この種の光源は、体積が大きく、設計された灯具も大きいほか、常にハイパワーの環境で使用されることから、寿命も割りと短い。よって、探照灯の使用寿命を長くでき、全体の体積の小型化が業界の努力すべき課題である。
【０００３】
前記目的を達成することと、近年の照明産業がハイパワーの発光ダイオード（Ｌｉｇｈｔ−ｅｍｉｔｔｉｎｇ  ｄｉｏｄｅ，  ＬＥＤ）に関する研究も絶やさずに乗り越えて、多くのハイパワーＬＥＤ工事灯の製品を開発してきた。ＬＥＤは、輝度は高く、省電力、長寿命などの長所を持つほか、ＬＥＤは体積が小さい優位性を有し、工事灯に仕上げた後の体積も大幅に軽減できる。しかし、最大の欠点は、ＬＥＤを使用した工事灯は、光減衰の問題に直面することである。ＬＥＤは、使用するときに高温を発生し、継続に稼働すると、発光チップの光減衰により、輝度も大幅に低下する。そのため、通常、ＬＥＤを光源とする工事灯は、本体、複数の放熱台、複数のＬＥＤ発光源と、一つの透光板と、を備える。本体は、複数の固定溝をくぐらして設けられ、放熱台は、固定溝に内設され、本体と同じ側に位置していて、放熱台は、それぞれ少なくとも一つの放熱シートを設け、ＬＥＤ発光源は、それぞれ固定溝の内部に固設され、放熱台と接触している。これにより、放熱台によって、ＬＥＤ光源を使用するときの発生熱を高速に放出させ、光減衰の現象を軽減し、使用寿命を長くすると共に、体積の小型化の目的を実現する。
【考案の概要】
【考案が解決しようとする課題】
【０００４】
しかし、ＬＥＤ発光源が使用された工事灯は、外部電源を使用しており、携帯が不便である。さらに、取り付け使用のときは、新たにブラケットを見つけて締めつけなければならない。現場が常に変わる建築工事その他保守工事への応用について、改善すべき課題が多く残る。
【課題を解決するための手段】
【０００５】
前記欠点について、本考案は工事用ＬＥＤ灯具の構造を提供する。箱体、ＬＥＤ灯具と、スタンドと、を備える。箱体に内設された収容空間によって、ＬＥＤ灯具とスタンドを収容し、箱体に内設された内蔵電源より、ＬＥＤ灯具の必要電力を提供する。これにより、本考案の箱体を利用し、ＬＥＤ灯具とスタンドを収容して置き、携帯便利の長所を有する。さらに、ＬＥＤ灯具とスタンドを取り出して結合した後、仮設のブラケットに形成することによって、取り付けの難度を軽減し、使用の利便性を大幅に向上させることができる。このほか、本考案は内蔵式の電源システムを使用しているため、ＬＥＤ灯具を使用するときは、電源を新たに調達する必要はなく、短時間の施工または常に移動必要な場面に対応できる。
【０００６】
本考案の一目的は、工事用ＬＥＤ灯具の構造を提供することである。箱体をＬＥＤ灯具とスタンドの収容に利用し、携帯に便利な効果を達成する。さらに、ＬＥＤ灯具とスタンドを取り出して結合した後は、高さ、角度及び方向が一時的に調節可能なブラケットを形成し、使用の利便性を大幅に向上させることができる。
【０００７】
本考案つぎの目的は、工事用ＬＥＤ灯具の構造を提供することである。内蔵電源によって、ＬＥＤ灯具の必要電力を提供できるため、新たに外付けの電源（ソケットまたは電気ボックス）を調達する必要はなく、いつでもどこでも使用することができ、応用の場面を大幅に向上できる。
【０００８】
前述目的を達成するため、本考案の工事用ＬＥＤ灯具は、箱体、少なく一つのＬＥＤ灯具と、スタンドと、を備える。箱体の内部は少なく一つの収容空間と一つの内蔵電源を有し、収容空間は、内蔵電源の片側に設けていて、かつ内蔵電源は、第１接続部を有する。少なくとも一つのＬＥＤ灯具は、収容空間の内部に取り付けられていて、かつＬＥＤ灯具を駆動し発光させるための第１接続部と電気接続する第２接続部を有する。スタンドは、収容空間の内部に取り付けられ、スタンドの一端は、テーブルを有し、他端は複数の支持脚を有する。
【考案の効果】
【０００９】
これにより、本考案を収納するとき、箱体をＬＥＤ灯具とスタンドの収納に利用し、携帯に便利な長所を有するほか、ＬＥＤ灯具とスタンドを取り出して結合した後は、仮設のブラケットを形成するため、取り付けの難度を軽減できるほか、使用の利便性を大幅に向上させることができる。さらに、本考案は、内蔵電源が使用されており、新たに電源を調達する必要はなく、内蔵電源は、いつでもどこでも使用することができ、各種のハイパワー照明の場面において、手軽に利用できる。
【００１０】
そのうち、携帯と収納の便利を図るため、本考案の箱体は、下部ボックスと上蓋を有し、下部ボックスの片側と上蓋の片側と互いに枢接することによって、上蓋と下部ボックスと蓋締めることができる。さらに、箱体のもう一つ側面は、下部ボックスと上蓋を締めつけるための留め金を有し、内容物の衝撃による破損を防止できる。
【００１１】
そのうち、使用の利便性の向上と、内蔵電源の充足性を確保するため、内蔵電源は例えば、繰り返し充放電可能な電池を設けても良い。さらに、内蔵電源は、充電ソケットを有するほか、内蔵電源は、リチウム鉄電池、リチウムポリマー電池、塩酸蓄電池、ニッカド電池、ニッケル金属水素電池、リチウムコバルト酸化物蓄電池またはマンガンリチウム電池のいずれかより選択する。
【００１２】
そのうち、本考案のＬＥＤ灯具は、ランプホルダーを有し、かつランプホルダーの一つの表面は、複数のＬＥＤ発光源を設けていて、かつＬＥＤ発光源は、第２接続部に電気接続され、ＬＥＤ発光源を取り付けられた一つの表面は、透明保護蓋を有する。このほか、ランプホルダーもう一つ表面は、ブラケットを有し、ブラケットは、スタンドのテーブルに設置するため、取り付けと使用の利便性を大幅に向上させることができる。
【００１３】
そのうち、高さ調節と収納の利便性を図るため、スタンドはさらに伸縮部を有し、伸縮部は、テーブルと支持脚との間に接続され、スタンドの高さ調節に備える。使用するときは、引き上げまたは引き下げて適切な高さに調節することができるほか、収納するときは、体積を有効に軽減できる。
【図面の簡単な説明】
【００１４】
【図１】本考案の好ましい実施例の構造態様図である。
【図２】本考案の好ましい実施例の収納態様図である。
【図３】本考案の好ましい実施例の使用態様図である。
【図４】本考案の好ましい実施例のＬＥＤ灯具の構造態様図である。
【考案を実施するための形態】
【００１５】
本考案の内容のさらなる理解を図るため、下記の説明に図式を組み合わせ、参考に供する。
【実施例】
【００１６】
図１、２、３の、本考案の好ましい実施例の構造態様図、収納態様図、及び使用態様図を参照する。図に示すように、本考案の工事用ＬＥＤ灯具１は、箱体１１、ＬＥＤ灯具１２とスタンド１３と、を備える。
【００１７】
そのうち、箱体１１は、下部ボックス１１１と上蓋１１２とを有し、下部ボックス１１１の片側は、上蓋１１２の片側と互いに枢接され、上蓋１１２と下部ボックス１１１を蓋締めることができる。箱体１１もう一つ側面はさらに、下部ボックス１１１と上蓋１１１２を締めつけるための留め金１１３を有する。さらに、下部ボックス１１１の内部は、収容空間１１１１と内蔵電源１１１２を有し、かつ収容空間１１１１は、内蔵電源１１１２の片側に設けられ、内蔵電源１１１２は、第１接続部１１１２１を有する。
特に注意すべき点は、内蔵電源１１１２は例えば、繰り返し充放電可能な電池であり、かつ内蔵電源１１１２は、充電ソケット１１１２２を有し、内蔵電源１１１２は、例えば、リチウム鉄電池、リチウムポリマー電池、塩酸蓄電池、ニッカド電池、ニッケル金属水素電池、リチウムコバルト酸化物蓄電池またはマンガンリチウム電池のいずれかより選択する。
【００１８】
ＬＥＤ灯具１２は、収容空間１１１１に取り付けられ、ＬＥＤ灯具１２は、前記第１接続部１１１２１と電気接続する第２接続部１２１を有し、ＬＥＤ灯具１２を駆動し発光させる。引き続き、図４の、本考案の好ましい実施例のＬＥＤ灯具の構造態様図を参照する。図に示すように、ＬＥＤ灯具１２は、ランプホルダー１２２を有し、ランプホルダー１２２一つの表面は、複数のＬＥＤ発光源１２３を設けていて、かつＬＥＤ発光源１２３は、第２接続部１２１に電気接続され、ＬＥＤ発光源１２３を設けた一つの表面には、透明保護蓋１２４を設け、ランプホルダー１２２もう一つ側面は、ブラケット１２５を設けている。
【００１９】
スタンド１３は、同じく収容空間１１１１に内接していて、かつＬＥＤ灯具１２の一つの側面に隣接しており、スタンド１３の一端は、テーブル１３１を有し、他端は複数の支持脚１３２を有する。さらに、使用者に高さ調節の利便性を提供するため、スタンド１３はさらに、伸縮部１３３を有し、伸縮部１３３は、テーブル１３１と支持脚１３２との間に接続され、スタンド１３の高さ調節に備える。使用するときは、引き上げまたは引き下げて適切な高さに調節することができるほか、収納するときは、体積を有効に軽減できる。
【００２０】
これにより、本考案の工事用ＬＥＤ灯具１を使用するときは、ＬＥＤ灯具１２とスタンド１３を箱体１１より取り外し、ＬＥＤ灯具１２のブラケット１２５を介してスタンド１３のテーブル１３１と接続した後、ＬＥＤ灯具１２の第２接続部１２１と内蔵電源１１１２の第１接続部１１１２１と電気接続する。逆に、スタンド１３を引き込ませて収納し、体積を軽減した後、ＬＥＤ灯具１２と合わせて収容空間１１１１に収納して置き、使用、取り付け及び収納とも極めて便利である。
【００２１】
前述とおり、本考案の工事用ＬＥＤ灯具の構造１は、箱体１１の収容空間１１１１を利用し、ＬＥＤ灯具１２とスタンド１３を収容する。さらに、内蔵電源１１１２自体は、箱体１１に設けられているため、すべての構成品を箱体１１に収納していて、携帯に便利な長所を有する。さらに、ＬＥＤ灯具１２とスタンド１３を取り出して結合した後は、仮設のブラケットを形成し、公知の工事用灯具を取り付けるときのように、まず置き場所またはブラケットを見つける必要はなく、取り付けの難度を軽減でき、使用、角度、高さまたは方向調節の利便性を大幅に向上させることができる。このほか、本考案の内蔵電源１１１２より、ＬＥＤ灯具１２に必要な電気を提供することができ、新たに電源を調達する必要はなく、より幅広い場面の汎用性を有する。
【００２２】
以上で述べたものは、本考案の実施例にすぎず、本考案実施の範囲を限定するものではない。その他、例えば箱体の材質、寸法または形状、ＬＥＤ灯具の型式または寸法、あるいはスタンドの型式または寸法などの変更方式は、すべて本案の範疇の中にある。よって、この技術に習熟して等価あるいは軽度の変化のものを作った場合も、本考案の精神と範囲の下の均等変化と修飾を離れておらず、すべて本考案の特許範囲内に含まれる。
【符号の説明】
【００２３】
１：工事用ＬＥＤ灯具
１１：箱体
１１１：下部ボックス
１１１１：収容空間
１１１２：内蔵電源
１１１２１：第１接続部
１１１２２：充電ソケット
１１２：上蓋
１１３：留め金
１２：ＬＥＤ灯具
１２１：第２接続部
１２２：ランプホルダー
１２３：ＬＥＤ発光源
１２４：透明保護蓋
１２５：ブラケット
１３：スタンド
１３１：テーブル
１３２：支持脚
１３３：伸縮部
【図１】
0003174903.tif 000003
【図２】
0003174903.tif 000004
【図３】
0003174903.tif 000005
【図４】
0003174903.tif 000006